(57)【要約】  本発明は、（ａ）０．１重量％〜２０重量％の洗浄性界面活性剤であって、（ｉ）アルキルベンゼンスルホネート、及び（ｉｉ）１種以上の洗浄性補助界面活性剤を含む洗浄性界面活性剤、（ｂ）ジカルボン酸とジオールのコポリエステル、（ｃ）高分子カルボキシレート、（ｄ）漂白剤、並びに（ｅ）セルロース性ポリマーを含み、組成物が、少なくとも幾つかのアルキルベンゼンスルホネート及び少なくとも幾つかの高分子カルボキシレートを含む噴霧乾燥粒子を含み、組成物中に存在するアルキルベンゼンスルホネート対ジカルボン酸とジオールのコポリエステルの重量比が、２０：１〜１００：１の範囲であり、かつ組成物中に存在する洗浄性補助界面活性剤対リペル−オ−テックスの重量比が５：１〜６０：１の範囲である、固体粒状洗濯洗剤組成物に関する。【特許請求の範囲】
【請求項１】
（ａ）０．１重量％〜２０重量％の洗浄性界面活性剤であって、
（ｉ）アルキルベンゼンスルホネート、及び
（ｉｉ）１種以上の洗浄性補助界面活性剤を含む洗浄性界面活性剤、
（ｂ）ジカルボン酸とジオールのコポリエステル、
（ｃ）高分子カルボキシレート、
（ｄ）漂白剤、並びに
（ｅ）セルロース性ポリマーを含む、固体洗濯洗剤組成物であって、
前記組成物が、少なくとも幾つかのアルキルベンゼンスルホネート及び少なくとも幾つかの高分子カルボキシレートを含む噴霧乾燥粒子を含み、前記組成物中に存在するアルキルベンゼンスルホネート対ジカルボン酸とジオールのコポリエステルの重量比が、２０：１〜１００：１の範囲であり、かつ前記組成物中に存在する洗浄性補助界面活性剤対ジカルボン酸とジオールのコポリエステルの重量比が、５：１〜６０：１の範囲である、固体洗濯洗剤組成物。
【請求項２】
前記ジカルボン酸とジオールのコポリエステルが、スルホテレフタル酸モノマー及びグリコールモノマーを含む、請求項１に記載の組成物。
【請求項３】
前記セルロース性ポリマーが、セルロース、カルボキシメチルセルロース、メチルセルロース、エチルセルロース、ヒドロキシエチルセルロース、アルキルセルロース、アルキルセルロース及びカルボキシメチルセルロースの混合物、並びにこれらの混合物からなる群から選択される、請求項１又は２に記載の組成物。
【請求項４】
前記組成物が、
（ａ）０重量％〜１５重量％のゼオライトビルダー、
（ｂ）０重量％〜１５重量％のリン酸塩ビルダー、及び
（ｃ）所望により、１重量％〜１５重量％のケイ酸塩を含む、請求項１〜３のいずれか一項に記載の組成物。
【請求項５】
前記組成物中に存在するアルキルベンゼンスルホネート対ジカルボン酸とジオールのコポリエステルの重量比が、３０：１〜６０：１の範囲である、請求項１〜４のいずれか一項に記載の組成物。
【請求項６】
前記組成物中に存在する洗浄性補助界面活性剤対リペル−オ−テックスの重量比が、１０：１〜４０：１の範囲である、請求項１〜５のいずれか一項に記載の組成物。
【請求項７】
前記補助界面活性剤が、３〜７の平均エトキシル化度を有するＣ１２〜Ｃ１８アルキルエトキシル化アルコール、１〜５の平均エトキシル化度を有するＣ１２〜Ｃ１８アルキルエトキシル化サルフェート、及びこれらの混合物からなる群から選択される、請求項１〜６のいずれか一項に記載の組成物。
【請求項８】
前記組成物が、ケイ酸塩を含む、請求項１〜７のいずれか一項に記載の組成物。
【請求項９】
前記組成物が、キレート剤及び漂白剤を含む、請求項１〜８のいずれか一項に記載の組成物。
【発明の詳細な説明】
【技術分野】
【０００１】
本発明は、高度に水溶性の固体洗濯洗剤組成物に関する。本発明の組成物は、ジカルボン酸とジオールのコポリエステルを含む。本発明の組成物中に組み込まれる場合、これらのコポリエステルは、それらが提供することが知られているマルチサイクルポリエステル汚れ遊離効果と対比して、単一サイクル、マルチファブリック型汚れ遊離効果を提供する。
【背景技術】
【０００２】
ジカルボン酸とジオールのコポリエステルなどのポリエステル汚れ遊離ポリマーは、それらの汚れ遊離性能を向上するために、固体洗濯洗剤組成物中に組み込まれる。しかしながら、ポリエステル汚れ遊離ポリマーの性能利益は、ポリエステル布地のみに限定され、複数洗浄サイクル後に、消費者によって観察可能となるのみである。
【０００３】
驚くべきことではあるが、本願発明者らは、ジカルボン酸とジオールのコポリエステルを特定の洗濯洗剤組成物中に組み込むことで、綿及びポリエステル布地を含むマルチファブリック型にて汚れ遊離性能が観察され、更により驚くべきことに、このマルチファブリック型汚れ遊離性能利益が単一洗浄サイクル後にて観察可能であることを見出した。
【発明の概要】
【課題を解決するための手段】
【０００４】
本発明は、請求項１で規定される固体洗濯洗剤組成物を提供する。
【発明を実施するための形態】
【０００５】
固体洗濯洗剤組成物：組成物は固体形態であり、好ましくは固体粒子形態である。組成物は、典型的には、自由流動性微粒子形態である。組成物は、任意の自由流動性微粒子形態、例えば、粒塊、噴霧乾燥粉末、押出品、フレーク、針状、麺状、ビーズ又はこれらの任意の組み合わせであり得る。
【０００６】
組成物は、アグロメレーション、噴霧乾燥、押出成形、混合、乾燥混合、液体噴霧方式、ローラー圧縮、球形化又はこれらのいずれかの組み合わせを包含するいかなる好適な方法で作製されてよい。
【０００７】
組成物は、更には、単位用量形態であってよく、例えば、錠剤形態であってよく（例えば、微粒子が錠剤化されて錠剤を形成する場合）、あるいはパウチの形態であってよく、少なくとも部分的には、好ましくは、ポリビニルアルコールを含むフィルムなどの水溶性フィルムによって実質的に完全に封入されている。
【０００８】
組成物は、ジカルボン酸とジオールのコポリエステルを含む。これらのコポリエステルは、組成物の汚れ遊離性能を向上する。ジカルボン酸とジオールのコポリエステルは、本発明の組成物内に組み込まれた場合、単一サイクル、マルチファブリック型汚れ遊離性能上の利点を提供する。ジカルボン酸とジオールのコポリエステルは、以下でより詳細に記載されている。
【０００９】
組成物は、洗浄性界面活性剤を含む。洗浄性界面活性剤は、以下でより詳細に説明されるが、典型的には、（ａ）Ｃ１０〜Ｃ１３アルキルベンゼンスルホネート、及び（ｂ）１種以上の洗浄性補助界面活性剤を含む。洗浄性補助界面活性剤もまた、以下でより詳細に説明されるが、典型的には、３〜７の平均エトキシル化度を有するＣ１２〜Ｃ１８アルキルエトキシル化アルコール、１〜５の平均エトキシル化度を有するＣ１２〜Ｃ１８アルキルエトキシル化サルフェート、及びこれらの混合物からなる群から選択される。
【００１０】
組成物は、噴霧乾燥粒子を含む。噴霧乾燥粒子は、以下でより詳細に説明されるが、典型的には、アルキルベンゼンスルホネート、高分子カルボキシレート、及び所望により、ケイ酸塩を含む。
【００１１】
組成物は、高分子カルボキシレートを含む。高分子カルボキシレートは、以下でより詳細に記載されている。
【００１２】
本組成物は、漂白剤を含む。好適な漂白剤を、以下でより詳細に説明する。
【００１３】
組成物は、好ましくは、０重量％〜１５重量％、又は０重量％〜１０重量％、又は０重量％〜５重量％のゼオライトビルダーを含む。組成物は、ゼオライトビルダーを実質的に含まなくてよい。これらの濃度のゼオライトは、組成物の溶解特性を向上する。ゼオライトビルダーは、以下でより詳細に記載されている。
【００１４】
組成物は、好ましくは、０重量％〜１５重量％、又は０重量％〜１０重量％、又は０重量％〜５重量％のリン酸塩ビルダーを含む。組成物は、リン酸塩ビルダーを実質的に含まなくてよい。これらの濃度のホスフェートは、組成物の環境特性を向上する。リン酸塩ビルダーは、以下でより詳細に記載されている。
【００１５】
組成物は、好ましくはケイ酸塩を含む。組成物は、０．１重量％〜１５重量％、又は０．５重量％、１重量％、２重量％、３重量％から好ましくは１０重量％、８重量％、更に６重量％までのケイ酸塩を含んでよい。これらの濃度のケイ酸塩は、組成物の加工性を向上する。ケイ酸塩は、以下でより詳細に記載されている。
【００１６】
本組成物は、キレート剤を含んでよい。キレート剤は、以下でより詳細に記載されている。
【００１７】
組成物は、任意の他の好適な洗剤補助成分を含んでよい。洗剤補助成分は、以下でより詳細に説明する。
【００１８】
洗剤組成物は、典型的には、４５０ｇ／ｌ〜１，０００ｇ／ｌのバルク密度を有し、好ましい低バルク密度の洗剤組成物は、４５０ｇ／ｌ〜６５０ｇ／ｌのバルク密度を有し、好ましい高バルク密度の洗剤組成物は、７５０ｇ／ｌ〜９００ｇ／ｌのバルク密度を有する。
【００１９】
洗濯プロセス中、組成物は典型的には水と接触して、７超〜１３未満、好ましくは８〜１１のｐＨを有する洗浄溶液を提供する。これは、良好な洗浄を提供すると同時に、良好な布地ケア特性も確保するために最適なｐＨである。
【００２０】
組成物中に存在するアルキルベンゼンスルホネート対ジカルボン酸とジオールのコポリエステルの重量比は、２０：１〜１００：１、好ましくは２５：１、３０：１、３５：１、あるいは更に４０：１〜好ましくは９０：１、８０：１、７０：１、６０：１、あるいは更に５０：１の範囲内である。
【００２１】
組成物中に存在する洗浄性補助界面活性剤対ジカルボン酸とジオールのコポリエステルの重量比は、５：１〜６０：１、好ましくは１０：１〜好ましくは、５０：１、あるいは更に４０：１の範囲内である。
【００２２】
セルロース性ポリマー：セルロース性ポリマーは、セルロースであるか又はそれから誘導される任意のポリマーであることができる。好適なセルロース性ポリマーとしては、アニオン性変性セルロース、非イオン性変性セルロース、カチオン性変性セルロース、双性イオン性変性セルロース、及びこれらの任意の混合物が挙げられる。好適なセルロース性ポリマーは、アルキル及びカルボキシメチル置換部分の両方の導入によって変性されたセルロースなどの非イオン性変性及びアニオン性変性の両方であることができる。
【００２３】
セルロース性ポリマーは、典型的にはセルロース又は変性セルロースである。好適なセルロース性ポリマーとしては、セルロース、セルロースエーテル、セルロースエステル、セルロースアミド及びこれらの混合物が挙げられる。好適なセルロース性ポリマーとしては、アニオン性変性セルロース、非イオン性変性セルロース、カチオン性変性セルロース、双性イオン性変性セルロース、及びこれらの混合物が挙げられる。好適なセルロース性ポリマーとしては、メチルセルロース、カルボキシメチルセルロース、エチルセルロース、ヒドロキシエチルセルロース、ヒドロキシプロピルメチルセルロース、エステルカルボキシメチルセルロース、及びこれらの混合物が挙げられる。
【００２４】
他の好適なセルロース性ポリマーとしては、カチオン性セルロース及びこれらの誘導体が挙げられる。好適なカチオン性セルロースは、Ａｍｅｒｃｈｏｌ  Ｃｏｒｐ．（米国、ニュージャージー州、Ｅｄｉｓｏｎ）から、ポリマーＪＲ（商標）及びＬＲ（商標）シリーズのポリマーとして入手可能である。他の好適なカチオン性セルロースは、トリメチルアンモニウム置換のエポキシド（例えば、Ａｍｅｒｃｈｏｌ  Ｃｏｒｐ．からポリクオタニウム１０（商標）の商標名にて供給されているようなもの）と反応するヒドロキシエチルセルロースの塩の形態である。他の好適なカチオン性セルロースの種類としては、ラウリルジメチルアンモニウム−置換エポキシド（例えば、Ａｍｅｒｃｈｏｌ  Ｃｏｒｐ．からポリクオタニウム２４（商標）の商標名にて供給されているようなもの）と反応した、ヒドロキシエチルセルロースの高分子四級アンモニウム塩が挙げられる。好適なセルロース性ポリマーは、Ａｍｅｒｃｈｏｌ  Ｃｏｒｐ．によりポリマーＬＭ−２００（商標）の商標名で供給されている。その他の好適なセルロース性ポリマーとしては、メチルヒドロキシエチルセルロース・ＴＹＬＯＳＥ  ＭＨ５０（商標）、ヒドロキシプロピルメチルセルロース・ＭＥＴＨＯＣＥＬ  Ｆ４Ｍ（商標）が挙げられる。他の好適なセルロース性ポリマーとしては、四級窒素含有セルロースエーテル（米国特許第３，９６２，４１８号にてより詳細に記載されるものなど）、並びにエーテル化セルロース及びデンプンのコポリマー（米国特許第３，９５８，５８１号にてより詳細に記載されるものなど）が挙げられる。
【００２５】
最も好ましくは、セルロース性ポリマーは、カルボキシメチルセルロースであり、典型的には以下の一般式を有する。
【化１】
2011514422.tif 000002
式中、少なくとも１つのＲ部分は、ＣＨ２ＣＯＯ−である。
【００２６】
好ましいセルロース性ポリマーは、セルロース、カルボキシメチルセルロース、メチルセルロース、エチルセルロース、ヒドロキシエチルセルロース、アルキルセルロース、アルキル及びカルボキシメチルセルロースの混合物、並びにこれらの混合物からなる群から選択される。極めて好ましいのは、カルボキシメチルセルロース及び／又はメチルセルロースである。最も好ましいセルロース性ポリマーは、カルボキシメチルセルロースである。
【００２７】
セルロース性ポリマー粒子：セルロース性ポリマーは、好ましくは微粒子形態である。セルロース性ポリマー粒子は、典型的には、７０重量％〜１００重量％、好ましくは７５重量％、８０重量、８５重量％、９０重量％、９５重量％、９６重量％、あるいは更に９７重量％から、好ましくは９９重量％までのセルロース性ポリマーを含む。
【００２８】
セルロース性ポリマー粒子は、好ましくは重量平均粒径が３００マイクロメートル〜６００マイクロメートルの範囲であり、かつ／又は１０重量％以下の粒子が１５０マイクロメートル未満の粒径を有し、かつ／又は５重量％以下の粒子が１，１８０マイクロメートル超の粒径を有するような粒度分布を有するのが好ましい。
【００２９】
このような粒子を使用して、セルロース性ポリマー及びケイ酸塩を含む固体洗濯洗剤組成物の水溶性を向上することができる。
【００３０】
ゼオライトビルダー：典型的なゼオライトビルダーは、ゼオライトＡ、ゼオライトＰ及びゼオライトＭＡＰである。
【００３１】
リン酸塩ビルダー：典型的なリン酸塩ビルダーは、トリポリリン酸ナトリウムである。
【００３２】
ケイ酸塩：任意のケイ酸塩が、本発明にて使用するのに好適である。ケイ酸塩としては、非水溶性ケイ酸塩が挙げられる。ケイ酸塩としては、非晶質ケイ酸塩及び結晶性層状ケイ酸塩（例えば、ＳＫＳ−６）が挙げられる。好ましいケイ酸塩は、ケイ酸ナトリウムである。好ましいケイ酸塩は、１．６Ｒケイ酸ナトリウム塩であるが、２．０Ｒ、２．３５Ｒ又は幾つかのその他の比のケイ酸塩を使用してもよい。
【００３３】
ジカルボン酸とジオールのコポリエステル：ジカルボン酸とジオールの好適なコポリエステルとしては、アジピン酸、フタル酸又はテレフタル酸と、エチレングリコール、プロピレングリコール又はポリエチレングリコール若しくはポリプロピレングリコールなどのポリジオールとのコポリエステルが挙げられる。
【００３４】
好ましいコポリエステルとしては、２つのモノマー単位のエステル化により入手可能なような化合物が挙げられるが、第１のモノマーは、ジカルボン酸ＨＯＯＣ−Ｐｈ−ＣＯＯＨであり、第２のモノマーは、ジオールＨＯ−（ＣＨＲ１１−）ａＯＨであって、高分子ジオールＨ−（Ｏ−（ＣＨＲ１１−）ａ）ｂＯＨとして存在してもよい。この式において、Ｐｈは、１〜２２個の炭素原子を有するアルキルラジカル、スルホン酸基、カルボキシル基及びこれらの混合物から選択される１〜４個の置換基を有してよいｏ−、ｍ−、又はｐ−フェニレンラジカルであり、Ｒ１１は、水素、１〜２２個の炭素原子及びこれらの混合物を有するアルキルラジカルであり、ａは、２〜６であり、ｂは、１〜３００である。好ましくは、モノマージオール単位−Ｏ−（ＣＨＲ１１−）ａＯ−及びポリマージオール単位−（Ｏ−（ＣＨＲ１１−）ａ）ｂＯ−の両方が存在する。モノマージオール単位対ポリマージオール単位のモル比は、好ましくは１００：１〜１：１００であり、特に１０：１〜１：１０である。ポリマージオール単位中、重合度ｂは、好ましくは４〜２００、特に１２〜１４０の範囲である。
【００３５】
好ましい汚れ遊離性ポリエステルの分子量又は平均分子量又は分子量分布の最大値は、２５０〜１０００００、特に５００〜５００００の範囲である。Ｐｈラジカルの親酸は、好ましくは、テレフタル酸、イソフタル酸、フタル酸、トリメリット酸、メリット酸；スルホフタル酸、スルホイソフタル酸及びスルホテレフタル酸（好ましくは、スルホテレフタル酸）並びにこれらの混合物の異性体から選択される。酸基が、ポリマー内のエステル結合の一部ではない場合、それらは、好ましくは塩形態にて存在し、特にアルカリ金属又はアンモニウム塩として存在する。これらのうち、ナトリウム塩及びカリウム塩が、特に好ましい。所望する場合、モノマーＨＯＯＣ−Ｐｈ−ＣＯＯＨの小さいフラクションに代えて、特に上記のようなＰｈの比率を基準として１０モル％以下の、少なくとも２つのカルボキシル基を有するその他の酸が、コポリエステル中に存在してよい。これらとしては、例えば、マロン酸、コハク酸、フマル酸、マレイン酸、グルタル酸、アジピン酸、ピメリン酸、スベリン酸、アゼライン酸及びセバシン酸などのアルキレンジカルボン酸及びアルケニレンジカルボン酸が挙げられる。好ましいジオールＨＯ−（ＣＨＲ１１−）ａＯＨとしては、Ｒ１１が水素でありかつａが２〜６であるようなもの、及びａが２であるとともに、Ｒ１１が水素及び１〜１０個の、特に１〜３個の炭素原子を有するアルキルラジカルから選択されるようなものが挙げられる。後者のジオールのうち、式ＨＯ−ＣＨ２−ＣＨＲ１１−ＯＨ（式中、Ｒ１１は上記で述べた通り）であるようなものが、特に好ましい。ジオール成分の例は、エチレングリコール、１，２−プロピレングリコール、１，３−プロピレングリコール、１，４−ブタンジオール、１，５−ペンタンジオール、１，６−ヘキサンジオール、１，８−オクタンジオール、１，２−デカンジオール、１，２−ドデカンジオール及びネオペンチルグリコールである。高分子ジオールのうち、１０００ｄａ〜６０００ｄａの範囲の平均モル質量を有するポリエチレングリコールが特に好ましい。
【００３６】
所望する場合、上記のような組成物を有するポリエステルは、末端基が保護されていてもよく、その場合には、有用な末端基は、１〜２２個の炭素原子及びモノカルボン酸エステルを有するアルキル基である。エステル結合によって結合した末端基の親酸は、５〜３２個の炭素原子、特に５〜１８個の炭素原子を有する、アルキル−、アルケニル−及びアリールモノカルボン酸であってよい。これらとしては、吉草酸、カプロン酸、エナンチル酸、カプリル酸、ペラルゴン酸、カプリン酸、ウンデカン酸、ウンデセン酸、ラウリン酸、ラウロレイン酸、トリデカン酸、ミリスチン酸、ミリストレイン酸、ペンタデカン酸、パルミチン酸、ステアリン酸、ペトロセリン酸、ペトロセライジン酸、オレイン酸、リノール酸、リノライド酸、リノレン酸、エレオステアリン酸、アラキン酸、ガドレイン酸、アラキドン酸、ベヘン酸、エルカ酸、ブラシジン酸、クルパノドン酸、リグノセリン酸、セロチン酸、メリシン酸、安息香酸（全体で２５個以下、特に１〜１２個の炭素原子を有する、１〜５個の置換基を有してよく、例えばｔ−ブチル安息香酸）が挙げられる。末端基の親酸はまた、５〜２２個の炭素原子を有するヒドロキシモノカルボン酸であってもよく、これには、例えば、ヒドロキシ吉草酸、ヒドロキシカプロン酸、リシノール酸、それらの水素化生成物であるヒドロキシステアリン酸、及びまた、ｏ−、ｍ−及びｐ−ヒドロキシ安息香酸が挙げられる。ヒドロキシモノカルボン酸は、順次、それらのヒドロキシル基及びそれらのカルボキシル基によってともに結合され、これにより、１つの末端基内にて２回以上出現してよい。末端基当たりのヒドロキシモノカルボン酸単位数、即ちそれらのオリゴマー化度は、１〜５０、特に１〜１０の範囲であることが好ましい。本発明の好適な実施例では、エチレンテレフタレート及びポリエチレンオキシドテレフタレートからなるポリマーであって、ポリエチレングリコール単位が７５０〜５０００のモル質量を有し、かつエチレンテレフタレート対ポリエチレンオキシドテレフタレートのモル比が５０：５０〜９０：１０であるものが、セルロース誘導体と組み合わせて使用される。
【００３７】
コポリエステルは、水溶性であることが好ましく、用語「水溶性」とは、室温かつｐＨ８にて水１リットル当たり、少なくとも０．０１ｇ、好ましくは少なくとも０．１ｇのポリマーの溶解度を意味する。しかしながら、選択したものとともに使用されるコポリエステルは、これらの条件下で、１リットル当たり少なくとも１ｇ、特に１リットル当たり少なくとも１０ｇの溶解度を有する。
【００３８】
好ましくは、コポリエステルは、以下の一般式を有する。
【化２】
2011514422.tif 000003
式中、Ｒは、水素である。
【００３９】
洗浄性界面活性剤：組成物は、０．１重量％〜２０重量％の洗浄性界面活性剤を含む。界面活性剤は、アルキルベンゼンスルホネート及び１種以上の洗浄性補助界面活性剤を含む。界面活性剤は、好ましくはＣ１０〜Ｃ１３アルキルベンゼンスルホネート及び１種以上の洗浄性補助界面活性剤を含む。補助界面活性剤は、好ましくは３〜７の平均エトキシル化度を有するＣ１２〜Ｃ１８アルキルエトキシル化アルコール；１〜５の平均エトキシル化度を有するＣ１２〜Ｃ１８アルキルエトキシル化サルフェート；及びこれらの混合物からなる群から選択される。しかしながら、その他の界面活性剤系が、本発明の使用に好適であってよい。
【００４０】
組成物は、洗浄性界面活性剤を含む。好適な洗浄性界面活性剤としては、アニオン性洗浄性界面活性剤、非イオン性洗浄性界面活性剤、カチオン性洗浄性界面活性剤、双極性イオンの洗浄性界面活性剤、両性洗浄性界面活性剤及びこれらの混合物が挙げられる。
【００４１】
好適なアニオン性洗浄性界面活性剤としては、アルキルサルフェート、アルキルスルホネート、アルキルホスフェート、アルキルホスホネート、アルキルカルボキシレート、及びこれらの混合物が挙げられる。アニオン性界面活性剤は、Ｃ１０〜Ｃ１８アルキルベンゼンスルホネート（ＬＡＳ）、好ましくはＣ１０〜Ｃ１３アルキルベンゼンスルホネート；Ｃ１０〜Ｃ２０一級、分岐、直鎖及びランダム鎖アルキルサルフェート（ＡＳ）で、典型的には次の式を有するものからなる群から選択される。
【００４２】
ＣＨ３（ＣＨ２）ｘＣＨ２−ＯＳＯ３−Ｍ+
式中、Ｍは、水素又は電気的中性を提供するカチオンであり、好ましいカチオンはナトリウム及びアンモニウムカチオンであり、式中、ｘは、少なくとも７の整数であり、好ましくは少なくとも９の整数であり、Ｃ１０〜Ｃ１８二級（２，３）アルキルサルフェートで、通常次式を有する。
【化３】
2011514422.tif 000004
式中、Ｍは、水素又は電気的中性を提供するカチオンであり、好適なカチオンにはナトリウムとアンモニウムカチオンが挙げられ、式中、ｘは、少なくとも７の整数であり、好ましくは少なくとも９の整数であり、ｙは、少なくとも８の整数であり、好ましくは少なくとも９の整数であり、米国特許第６，０２０，３０３号及び同第６，０６０，４４３号により詳細に記載されているようなＣ１０〜Ｃ１８のアルキルアルコキシカルボン酸塩、中鎖分岐アルキルサルフェート；国際公開特許第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号及び同第００／２３５４５号により詳細に記載されているような変性アルキルベンゼンサルフェート（ＭＬＡＳ）；メチルエステルスルホネート（ＭＥＳ）；α−オレフィンスルホネート（ＡＯＳ）及びこれらの混合物からなる群から選択されてよい。
【００４３】
好ましいアニオン性洗浄性界面活性剤としては、直鎖又は分岐、置換又は非置換アルキルベンゼンスルホネート洗浄性界面活性剤、好ましくは直鎖Ｃ８〜Ｃ１８アルキルベンゼンスルホネート洗浄性界面活性剤；直鎖又は分岐、置換又は非置換アルキルベンゼンサルフェート洗浄性界面活性剤；直鎖又は分岐、置換又は非置換アルキルサルフェート洗浄性界面活性剤（直鎖Ｃ８〜Ｃ１８アルキルサルフェート洗浄性界面活性剤、Ｃ１〜Ｃ３アルキル分岐Ｃ８〜Ｃ１８アルキルサルフェート洗浄性界面活性剤、直鎖又は分岐アルコキシル化Ｃ８〜Ｃ１８アルキルサルフェート洗浄性界面活性剤及びそれらの混合物を含む）；直鎖又は分岐、置換又は非置換アルキルスルホネート洗浄性界面活性剤；並びにこれらの混合物が挙げられる。
【００４４】
好ましいアルコキシル化アルキルサルフェート洗浄性界面活性剤は、平均アルコキシル化度が１〜３０、好ましくは１〜１０の、直鎖又は分岐、置換又は非置換Ｃ８〜１８アルキルアルコキシル化サルフェート洗浄性界面活性剤である。好ましくは、アルコキシル化アルキル硫酸塩洗浄性界面活性剤は、平均エトキシル化度が１〜１０の、直鎖又は分枝、置換又は非置換Ｃ８〜１８アルキルエトキシル化サルフェートである。最も好ましくは、アルコキシル化アルキル硫酸塩洗浄性界面活性剤は、平均エトキシル化度が３〜７の、直鎖、非置換Ｃ８〜１８アルキルエトキシル化サルフェートである。
【００４５】
好ましいアニオン性洗浄性界面活性剤は、直鎖又は分岐、置換又は非置換Ｃ１２〜１８のアルキルサルフェート、直鎖又は分岐、置換又は非置換Ｃ１０〜１３のアルキルベンゼンスルホネート、好ましくは直鎖Ｃ１０〜１３アルキルベンゼンスルホネート及びその混合物からなる群から選択される。極めて好ましいのは、直鎖Ｃ１０〜１３アルキルベンゼンスルホネートである。極めて好ましいのは、市販の直鎖アルキルベンゼン（ＬＡＢ）をスルホン化することにより得ることができ、好ましくはスルホン化することにより得られる、直鎖Ｃ１０〜１３アルキルベンゼンスルホネートであり、好適なＬＡＢには、ＳａｓｏｌからＩｓｏｃｈｅｍ（登録商標）の商標名又はＰｅｔｒｅｓａからＰｅｔｒｅｌａｂ（登録商標）の商標名で供給されているような低級２−フェニルＬＡＢを含み、他の好適なＬＡＢには、ＳａｓｏｌからＨｙｂｌｅｎｅ（登録商標）の商標名で販売されているような高級２−フェニルＬＡＢが挙げられる。好適なアニオン性洗浄性界面活性剤は、ＤＥＴＡＬ触媒プロセスにより得られるアルキルベンゼンスルホネートであるが、ＨＦなどのその他の合成経路もまた、好適な場合がある。
【００４６】
好適なカチオン性洗浄性界面活性剤としては、アルキルピリジニウム化合物、アルキル四級アンモニウム化合物、アルキル四級ホスホニウム化合物、アルキル３元スルホニウム化合物、及びこれらの混合物が挙げられる。カチオン性洗浄界面活性剤は、米国特許第６，１３６，７６９号においてより詳細に記載されているようなアルコキシラート四級アンモニウム（ＡＱＡ）界面活性剤；米国特許第６，００４，９２２号においてより詳細に記載されているようなジメチルヒドロキシエチル四級アンモニウム界面活性剤；国際公開特許第９８／３５００２号、国際公開特許第９８／３５００３号、国際公開特許第９８／３５００４号、国際公開特許第９８／３５００５号及び国際公開特許第９８／３５００６号においてより詳細に記載されているようなポリアミンカチオン性界面活性剤；米国特許第４，２２８，０４２号、米国特許第４，２３９，６６０号、米国特許第４，２６０，５２９号、及び米国特許第６，０２２，８４４号においてより詳細に記載されているようなカチオン性エステル界面活性剤；米国特許第６，２２１，８２５号及び国際公開特許第００／４７７０８号においてより詳細に記載されているようなアミノ界面活性剤、特にアミドプロピルジメチルアミン；並びにこれらの混合物からなる群より選択することができる。好適なカチオン性洗浄性界面活性剤は、次の一般式を有する四級アンモニウム化合物である。
【００４７】
（Ｒ）（Ｒ１）（Ｒ２）（Ｒ３）Ｎ＋Ｘ−
式中、Ｒは直鎖又は分岐、置換又は非置換の、Ｃ６〜１８アルキル又はアルケニル部分であり、Ｒ１及びＲ２は、独立して、メチル又はエチル部分から選択され、Ｒ３は、ヒドロキシル、ヒドロキシメチル又はヒドロキシエチル部分であり、Ｘは、電気的中性を提供するアニオンであり、好適なアニオンには、ハロゲン化物（塩化物等）、サルフェート及びスルホネートが挙げられる。好ましいカチオン性洗浄界面活性剤は、モノ−Ｃ６〜１８アルキルモノヒドロキシエチルジメチル四級アンモニウムクロライドである。非常に好ましいカチオン性洗浄界面活性剤は、モノ−Ｃ８〜１０アルキルモノヒドロキシエチルジメチル四級アンモニウムクロライド、モノ−Ｃ１０〜１２アルキルモノヒドロキシエチルジメチル四級アンモニウムクロライド、及びモノ−Ｃ１０アルキルモノヒドロキシエチルジメチル四級アンモニウムクロライドである。
【００４８】
好適な非イオン性洗浄性界面活性剤は、Ｃ８〜Ｃ１８アルキルエトキシレート、例えば、ＳｈｅｌｌからのＮＥＯＤＯＬ（登録商標）非イオン性界面活性剤；Ｃ６〜Ｃ１２アルキルフェノールアルコキシラートであって、ここで、アルコキシラート単位が、エチレンオキシ単位、プロピレンオキシ単位、又はこれらの混合物であるもの；エチレンオキシド／プロピレンオキシドブロックポリマーとの、Ｃ１２〜Ｃ１８アルコール縮合物及びＣ６〜Ｃ１２アルキルフェノール縮合物、例えば、ＢＡＳＦ社製Ｐｌｕｒｏｎｉｃ（登録商標）；米国特許第６，１５０，３２２号においてより詳細に記載されているＣ１４〜Ｃ２２中鎖分枝アルコール、ＢＡ；米国特許第６，１５３，５７７号、同第６，０２０，３０３号及び同第６，０９３，８５６号においてより詳細に記載されているＣ１４〜Ｃ２２中鎖分枝アルキルアルコキシラート、ＢＡＥｘ、ここで、ｘ＝１〜３０；米国特許第４，５６５，６４７号においてより詳細に記載されているアルキル多糖、特に、米国特許第４，４８３，７８０号及び同第４，４８３，７７９号においてより詳細に記載されているアルキルポリグリコシド；米国特許第５，３３２，５２８号、国際公開特許第９２／０６１６２号、同第９３／１９１４６号、同第９３／１９０３８号、及び同第９４／０９０９９号においてより詳細に記載されているポリヒドロキシ脂肪酸アミド；米国特許第６，４８２，９９４号及び国際公開特許第０１／４２４０８号においてより詳細に記載されているエーテルで末端保護されたポリ（オキシアルキル化）アルコール界面活性剤；並びにこれらの混合物からなる群より選択することができる。
【００４９】
非イオン性洗浄性界面活性剤は、アルキルポリグルコシド及び／又はアルキルアルコキシル化アルコールであり得る。好ましくは、非イオン性洗浄性界面活性剤は、平均エトキシル化度が１〜１０、より好ましくは３〜７の、直鎖又は分枝、置換又は非置換Ｃ８〜１８アルキルエトキシ化アルコールである。
【００５０】
噴霧乾燥粒子：組成物は、噴霧乾燥粒子を含む。噴霧乾燥粒子は、典型的には、さまざまな洗剤成分を混合して、通常スラリーを形成させ、次にスラリーを噴霧乾燥塔内で噴霧して、噴霧乾燥粒子を形成させることによって形成される。噴霧乾燥粒子は、アルキルベンゼンスルホネート、高分子カルボキシレート、及び所望により、存在する場合、ケイ酸塩、好ましくはケイ酸ナトリウムを含む。
【００５１】
噴霧乾燥粒子は、３００ｇ／ｌ〜５００ｇ／ｌ、好ましくは３５０ｇ／ｌ〜４５０ｇ／ｌの範囲のバルク密度を有する。噴霧乾燥粒子は、好ましくは、重量平均粒径が３００マイクロメートル〜４５０マイクロメートルの範囲を有し、かつ／又は１５重量％以下の粒子が１５０マイクロメートル未満の粒径を有し、かつ／又は５重量％以下の粒子が１，１８０マイクロメートル超の粒径を有するような粒度分布を有することが好ましい。
【００５２】
ポリマーカルボキシレート：組成物は、高分子カルボキシレートを含む。組成物は、組成物の少なくとも１重量％、又は少なくとも２重量％、又は少なくとも３重量％、又は少なくとも４重量％、又は更に少なくとも５重量％の高分子カルボキシレートを含むことが好ましい場合がある。高分子カルボキシレートは、洗浄溶液中で遊離カルシウムイオンを隔離できる。カルボキシレートポリマーは、汚れ分散剤としても作用することができ、改善された微粒子染み除去洗浄効果をもたらすことができる。好ましい高分子ポリカルボキシレートは、好ましくは１，０００ダルトン〜２０，０００ダルトンの重量平均分子量を有するポリアクリレートと、好ましくはマレイン酸モノマーとアクリル酸モノマーのモル比１：１〜１：１０かつ１０，０００ダルトン〜２００，０００ダルトンの重量平均分子量を有し、又は好ましくはマレイン酸モノマーとアクリル酸モノマーのモル比０．３：１〜３：１かつ１，０００ダルトン〜５０，０００ダルトンの重量平均分子量を有するマレイン酸とアクリル酸とのコポリマーを含む。
【００５３】
キレート剤：好適なキレート剤としては、ジエチレントリアミンペンタアセタート、ジエチレントリアミンペンタ（メチルホスホン酸）、エチレンジアミン−Ｎ’Ｎ’−二コハク酸、エチレンジアミンテトラアセタート、エチレンジアミンテトラ（メチレンホスホン酸）及びヒドロキシエタンジ（メチレンホスホン酸）が挙げられる。好ましいキレート剤は、エチレンジアミン−Ｎ’Ｎ’−二コハク酸である。
【００５４】
漂白剤：好適な漂白剤としては、好ましくはテトラアセチルエチレンジアミンのような漂白活性化剤、ノナノイルオキシベンゼンスルホネートのようなオキシベンゼンスルホネート漂白活性化剤、カプロラクタム漂白活性化剤、Ｎ−ノナノイル−Ｎ−メチルアセトアミドのようなイミド漂白活性化剤、Ｎ，Ｎ−フタロイルアミノ過酸化カプロン酸、ノニルアミド過酸化アジピン酸又は過酸化ジベンゾイルのような予め形成された過酸と組み合わせた、過炭酸塩及び／又は過ホウ酸塩が挙げられる。組成物が、配位遷移金属配位子漂白剤触媒、又はイソキノリニウム系、好ましくは双性イオン性変性イソキノリニウム系漂白剤触媒などの漂白剤触媒を含むことも更に好ましい場合がある。
【００５５】
洗剤補助成分：組成物は、典型的には、洗剤補助成分を含む。好適な洗剤補助成分としては、炭酸塩、例えば炭酸ナトリウム及び／又は重炭酸ナトリウム；酵素、例えばアミラーゼ、カルボヒドラーゼ、セルラーゼ、ラッカーゼ、リパーゼ、オキシダーゼ、ペルオキシダーゼ、プロテアーゼ、ペクテートリアーゼ及びマンナナーゼ；泡抑制系、例えばシリコーン系泡抑制剤；光沢剤；色相剤；光漂白剤；充填剤塩；粘土、シリコーン及び／又は四級アンモニウム化合物のような布地柔軟化剤；凝集剤、例えばポリエチレンオキシド；移染防止剤、例えばポリビニルピロリドン、ポリ−４−ビニルピリジン−Ｎ−オキシド及び／又はビニルピロリドンとビニルイミダゾールとのコポリマー；布地仕上げ成分、例えばイミダゾールとエピクロロヒドリンとの縮合により生成されるオリゴマー；アルコキシル化ポリアミン及びエトキシル化エチレンイミンポリマーのような汚れ分散剤及び汚れ再付着防止助剤；ポリエステルなどの再付着防止成分；香料マイクロカプセルなどの香料；ソープリング；審美的粒子；並びに色素が挙げられる。
【実施例】
【００５６】
以下は、本発明の固体洗濯洗剤組成物の実施例である。
【表１】
2011514422.tif 000005
【００５７】
本明細書に開示される寸法及び値は、列挙された正確な数値に厳しく限定されられるものとして理解されるべきでない。むしろ特に断りのない限り、こうした寸法のそれぞれは、記載される値、及びこの値の周辺の機能的に等価な範囲のいずれをも意味するものとする。例えば、「４０ｍｍ」として開示された寸法は、「約４０ｍｍ」を意味することを意図される。
【国際調査報告】
2011514422.tif 000006
2011514422.tif 000007
2011514422.tif 000008